(57)【要約】【課題】棚板上に立て掛けられて収納された書籍類から大きな荷重を受けても転倒したり、破損することがない本立てを提供する。【解決手段】ほぼ垂直に設けられ、かつ書籍類８の側面に当接して書籍類の転倒を防止する仕切り板３と、仕切り板の後端部にほぼ直角に取り付けられ、かつ仕切り板に作用する書籍類からの荷重を支持する背面板４と、仕切り板及び背面板の上端部にほぼ水平に取り付けられ、かつ仕切り板に作用する書籍類からの荷重を背面板とで分散して支持する上面板５とから本立て本体１を構成したもので、上面板が仕切り板と背面板に亘って取り付けられているため、大きな荷重は背面板と上面板に分散して作用するようになり、これによって背面板と上面板が仕切り板の転倒を防止すると同時に、仕切り板と背面板の連結部に大きな荷重が集中的に加わることがないため、大きな荷重により仕切り板と背面板の取り付け部が変形したり破損することがない。【選択図】図１
0003134667.tif 000002
【実用新案登録請求の範囲】
【請求項１】
本箱等の棚板上に収納した書籍類の転倒を防止するため、前記棚板上に載置して使用する本立てであって、ほぼ垂直に設けられ、かつ前記書籍類の側面に当接して前記書籍類の転倒を防止する仕切り板と、前記仕切り板の後端部にほぼ直角に取り付けられ、かつ前記仕切り板に作用する前記書籍類からの荷重を支持する背面板と、前記仕切り板及び前記背面板の上端部にほぼ水平に取り付けられ、かつ前記仕切り板に作用する前記書籍類からの荷重を前記背面板とで分散して支持する上面板とから本立て本体を構成したことを特徴とする本立て。
【請求項２】
前記仕切り板と前記背面板及び前記上面板を組み立て自在としてなる請求項１に記載の本立て。
【請求項３】
前記本立て本体に、ほぼ垂直に設けられた補助仕切り板と、前記補助仕切り板の後端部にほぼ直角に取り付けられた補助背面板とからなる補助本立てを組み合わせたことを特徴する本立て。
【考案の詳細な説明】
【技術分野】
【０００１】
本考案は、本箱やロッカー等に書籍や書類ファイル等（以下書籍類という）を収納する際に使用する本立てに関する。
【背景技術】
【０００２】
従来本箱やロッカー等に書籍類を収納する場合、棚板上に立て掛けた書籍類が転倒しないようにブックエンドと称する本立てを使用することがよくある。
また従来の本立ての多くは、底板上に仕切り板を立設または折り曲げ形成したほぼ逆Ｔ状に形成されていて、本箱やロッカー内に水平方向に設けられた棚板上に底板を載置し、棚板上に立て掛けられて収納された書籍類の側面に仕切り板を当接することにより、棚板上の書籍類が転倒するのを防止している。
しかし前記従来の本立てでは、棚板上に載置した本立ての底板の厚さ分だけ棚板上面の高さが高くなるため、書籍類を出し入れする際に書籍類の角部が底板の端面に突き当たって、書籍類の出し入れがスムーズにできなかったり、書籍類の角部が損傷する等の問題があった。
【０００３】
かかる問題を改善するため、底板を省略した本立てが例えば特許文献１で提案されている。
前記特許文献１に記載の本立ては、仕切り板の後端に背面板や倒れ防止金具を設けた構造となっていて、本箱やロッカー等の棚板上に載置して使用するようになっており、底板がないため、書籍類の出し入れがスムーズに行える上、書籍類の角部が損傷されることがない等の効果を有している。
【特許文献１】特開平８−２４２９４６号公報
【考案の開示】
【考案が解決しようとする課題】
【０００４】
しかし前記特許文献１に記載の本立てでは、次のような問題がある。
すなわち本箱やロッカー等に収納する書籍類には、大きさや厚さ、重量等が異なるものがあり、これらを棚板上に立て掛けて収納した場合、棚板上に設置した本立ての仕切り板には大きな荷重が作用する。
このため本立てには、仕切り板に大きな荷重が作用しても簡単に転倒しないことがないことが要求されるが、前記特許文献１に記載の本立てのように、仕切り板の後端に背面板や倒れ防止金具を設けたものでは、大きな荷重が仕切り板に作用すると簡単に仕切り板が転倒してしまい、本立てとしての機能が得られない問題がある。
【０００５】
また仕切り板に作用する書籍類の荷重を、仕切り板の転倒を防止する背面板や倒れ防止金具のみにより支持する構造のため、仕切り板と背面板や倒れ防止金具との連結部が荷重に耐え切れず、その結果連結部が早期に損傷したり、仕切り板の取り付け角度が変化して、本立てとしての機能が損なわれる等の問題もある。
本考案はかかる問題を改善するためになされたもので、棚板上に立て掛けられて収納された書籍類から大きな荷重を受けても転倒したり、損傷することがない本立てを、簡単な構成で安価に提供することを目的とするものである。
【課題を解決するための手段】
【０００６】
本考案の本立ては、本箱等の棚板上に収納した書籍類の転倒を防止するため、棚板上に載置して使用する本立てであって、ほぼ垂直に設けられ、かつ書籍類の側面に当接して書籍類の転倒を防止する仕切り板と、仕切り板の後端部にほぼ直角に取り付けられ、かつ仕切り板に作用する書籍類からの荷重を支持する背面板と、仕切り板及び背面板の上端部にほぼ水平に取り付けられ、かつ仕切り板に作用する書籍類からの荷重を背面板とで分散して支持する上面板とから本立て本体を構成したものである。
【０００７】
前記構成により、本箱等の棚板上に立て掛けた書籍類の側面に本立て本体の仕切り板を当接して使用することにより、棚板上の書籍類が転倒するのを防止することができると共に、本立て本体には底板がないので、書籍類の出し入れがスムーズに行える上、書籍類の角部が損傷することもない。
また棚板上に収納した書籍類が多数で重量が重いため書籍類の転倒を防止す仕切り板に大きな荷重が作用した場合でも、上面板が仕切り板と背面板に亘って取り付けられているため、大きな荷重は背面板と上面板に分散して作用するようになり、これによって背面板と上面板が仕切り板の転倒を防止すると同時に、仕切り板と背面板の連結部に大きな荷重が集中的に加わることがないため、大きな荷重により仕切り板と背面板の取り付け部が変形したり破損するのを未然に防止できるようになる。
さらに木材や合成樹脂等の板体のみにより形成した簡単な構造のため、安価に提供することができる。
【０００８】
本考案の本立ては、仕切り板と背面板及び上面板を組み立て自在としたものである。
【０００９】
前記構成により、本立て本体及び補助本立てをそれぞれ分解した状態でダンボール等の包装容器に箱詰することにより、保管コストや輸送コストの削減が図れる上、家具店やホームセンタ等で購入した消費者がドライバ等の工具を使用することにより簡単に組み立てることができるため、組み立てコストの削減も図れる。
【００１０】
本考案の本立ては、本立て本体に、ほぼ垂直に設けられた補助仕切り板と、補助仕切り板の後端部にほぼ直角に取り付けられた補助背面板とからなる補助本立てを組み合わせたものである。
【００１１】
前記構成により、空いた棚板上に補助本立てを載置して、本立て本体の仕切り板と補助本立ての補助仕切り板との間に書籍類を収納し、仕切り板と補助仕切り板の間で書籍類を保持することにより、棚板上の空きスペースに書籍類を追加収納することができると共に、補助本立ての背面板を本立て本体の背面板と本箱の後面板との間に挟着した状態で書籍類を収納することにより、補助本立ての仕切り板に書籍類の荷重が作用しても、補助本立てが転倒することがない。
また補助本立ては本立て本体に比べて小型かつ軽量なことから棚板上での移動が容易となり、これによって棚板の空いたスペースに収納した書籍類の量に応じて補助本立ての位置調整が簡単にできるため、後から収納した書籍類の転倒も確実に防止することができる。
【考案の効果】
【００１２】
本考案の本立てによれば、上面板が仕切り板と背面板に亘って取り付けられているため、大きな荷重は背面板と上面板に分散して作用するようになり、これによって背面板と上面板が仕切り板の転倒を防止すると同時に、仕切り板と背面板の連結部に大きな荷重が集中的に加わることがないため、大きな荷重により仕切り板と背面板の取り付け部が変形したり破損するのを未然に防止できるようになる。
【考案を実施するための最良の形態】
【００１３】
本考案の実施の形態を、図面を参照して詳述する。
図１は本立ての斜視図、図２は同分解斜視図、図３は使用状態の斜視図、図４は同拡大正面図である。
図１に示す本考案の本立ては、本立て本体１と、補助本立て２とから構成されている。
本立て本体１は、仕切り板３と、仕切り板３の後端に取り付けられた背面板４及び仕切り板３と背面板４の上端部に取り付けられた上面版５とからなり、何れもベニヤ板等の木材や、合成樹脂よりなる板体より形成されている。
仕切り板３は後述する本箱６内に設けられた棚板７の前後方向の幅とほぼ等しいか、これよりやや短くなるよう前後の幅Ｗ１が設定され、高さＨ１は、書類等を綴った例えばＡ４ファイルの高さより高くなるように設定されている。
背面板４は、棚板７上に立て掛けた書籍類８の荷重が仕切り板３に作用しても、仕切り板３が転倒しないように支持するもので、仕切り板３の前後の幅Ｗ１とほぼ等しいか、これより長くなるように左右の長さＬ１が設定されており、高さは仕切り板３の高さＨ１と等しくなっている。
【００１４】
背面板４の中央には、上下方向に離間して複数の取り付け孔４ａが穿設されていて、これら取り付け孔４ａに挿入したタッピングビス等の固着具９を仕切り板３の後端面に螺挿することにより、仕切り板３に対して背面板４が直角に取り付けられている。
上面板５は、仕切り板３に作用する荷重を背面板４との間で分散支持することにより、仕切り板３と背面板４との連結部に荷重が集中するのを防止するもので、前後の幅Ｗ２が仕切り板３の前後の幅Ｗ１に背面板４の板厚ｔを加えた値に設定され、左右の長さＬ２は、背面板４の左右の長さＬ１と等しくなっている。
上面板５には、仕切り板３と背面板４の上端部に載置した際、仕切り板３と背面板４の端面と合致する位置に複数の取り付け孔５ａが穿設されていて、これら取り付け孔５ａに挿入したタッピングビス等の固着具９を仕切り板３及び背面板４の上端面に螺挿することにより、仕切り板３及び背面板４の上端部に上面板５が取り付けられていると共に、上面板５の前側の角部は、小円弧状にコーナーカットされている。
【００１５】
一方補助本立て２は、本立て本体１の仕切り板３との間で書籍類８を狭着することにより、本箱６の棚板７上で書籍類８が倒れるのを防止するもので、本立て本体１の仕切り板３とほぼ同大の補助仕切り板１０と、本立て本体１の背面板４のほぼ半分の大きさの補助背面板１１とからなる。
補助背面板１１の一端側には、上下方向に複数の取り付け孔１１ａが穿設されていて、これら取り付け孔１１ａより挿入したタッピングビス等の固着具１２を補助仕切り板１０の後端面に螺挿することにより、補助仕切り板１０の後端に補助背面板１１の一端側が取り付けられている。
【００１６】
次に前記構成された本立ての作用を図３及び図４も交えて説明する。
本立て本体１及び補助本立て２は、それぞれ分解された状態でダンボール等の包装容器（図示せず）に箱詰めされ、家具店やホームセンタ等で販売し、購入者はドライバ等の工具を使用することにより簡単に組み立てることができるが、勿論組み立てた状態で販売するようにしてもよい。
組み立てた状態の本立てを使用するに当っては、まず図３に示すように本箱６内に設けられた棚板７上に書籍類８を立て掛けた状態で収納するが、図３に示す上段の棚板７のように、収納した書籍類８が棚板一杯になっていないときには、書籍類８が倒れてしまうことがある。
これを防止するため、棚板７上に本立て本体１を載置し、この状態で棚板７上に立て掛けた書籍類８方向へ本立て本体１を移動するが、本立て本体１には底板がないので、底板が書籍類８と干渉することなく本立て本体１の仕切り板３を立て掛けた書籍類８の側面に密着させることができる。
これによって本箱６の一方の側板６ａと仕切り板３の間で書籍類８を挟着することができるため、棚板７上に立て掛けた書籍類８が転倒するのを防止することができるようになる。
また本立て本体１には底板がないので、本箱６より書籍類８の出し入れがスムーズに行える上、書籍類８の角部が損傷することもない。
【００１７】
一方棚板７上に収納した書籍類８が多数で重量が重いと、書籍類８の転倒を防止す仕切り板３に大きな荷重が作用するが、上面板５が仕切り板３と背面板４に亘って取り付けられているため、仕切り板３に作用する大きな荷重は、背面板４と上面板５が分散して支持するようになる。
これによって背面板４と上面板５が仕切り板３の転倒を防止すると同時に、仕切り板３と背面板４の連結部に大きな荷重が集中的に加わることがないため、大きな荷重により仕切り板３と背面板４の取り付け部が変形したり破損するのを未然に防止できるようになる。
また本箱６の棚板７上に本立て本体１を載置した状態では、本箱６の天板６ｂと上面板５、もしくは上側の棚板７と上面板５は互に近接した状態にあるため、さらに大きな荷重が仕切り板３に作用しても、本箱６の天板６ｂまたは上側の棚板７が上面板５の浮き上りを阻止するため、仕切り板３にさらに大きな荷重が作用しても、荷重によって仕切り板３が転倒するのを確実に防止することができる。
【００１８】
以上は本立て本体１の使用方法であるが、本立て本体１に補助本立て２を組み合せて使用する際の作用を次に説明する。
図３に示すように本箱６の上段の棚板７上に収納された書籍類８の転倒を本立て本体１で防止している状態で、さらに空いたスペースに書籍類８を収納する場合、収納する書籍類８が少ないと、後から収納した書籍類８が転倒することがある。
これを防止するため空いた棚板７上に図４に示すように補助本立て２を載置したら、補助本立て２の背面板１１を本立て本体１の背面板４と本箱６の後面板６ｃとの間に挿入して、本立て本体１の背面板４と本箱６の後面板６ｃとの間で補助本立て２の背面板１１を挟着する。
そしてこの状態で本立て本体１の仕切り板３と補助本立て２の補助仕切り板１０との間に書籍類８を収納し、仕切り板３と補助仕切り板１０の間で書籍類８が倒れないように保持するもので、図４に示すように、棚板７上の空きスペースに書籍類８を追加収納することができる。
また補助本立て２の背面板１１が本立て本体１の背面板４と本箱６の後面板６ｃとの間に挟着されているため、補助本立て２の仕切り板１０に後から収納した書籍類８の荷重が作用しても、補助本立て２が転倒することがない上、補助本立て２は本立て本体１に比べて小型かつ軽量なことから棚板７上での移動が容易であり、これによって棚板７の空いたスペースに収納した書籍類８の量に応じて補助本立て２の位置調整が簡単にできるため、後から収納した書籍類８の転倒も確実に防止することができる。
【００１９】
なお前記実施の形態では、本箱６に収納した書籍類８の転倒防止に使用した例について説明したが、書類等を綴じたファイルを収納したロッカーや、図書館のように多数の書籍類８を収納した書架等に使用しても同様な効果が得られる。
また文庫本等の比較的高さが低い書籍類８のみを収納する本箱等に使用する場合は、本立て本体１及び補助本立ての高さを低くしてもよい。
【図面の簡単な説明】
【００２０】
【図１】本考案の実施の形態になる本立ての斜視図である。
【図２】本考案の実施の形態になる本立ての分解斜視図である。
【図３】本考案の実施の形態になる本立ての使用状態を示す斜視図である。
【図４】本考案の実施の形態になる本立ての使用状態を示す拡大正面図である。
【符号の説明】
【００２１】
１    本立て本体
２    補助本立て
３    仕切り板
４    背面板
５    上面板
６    本箱
７    棚板
８    書籍類
１０    補助仕切り板
１１    補助背面板
【図１】
0003134667.tif 000003
【図２】
0003134667.tif 000004
【図３】
0003134667.tif 000005
【図４】
0003134667.tif 000006
【手続補正書】
【提出日】平成19年6月22日(2007.6.22)
【手続補正１】
【補正対象書類名】実用新案登録請求の範囲
【補正対象項目名】全文
【補正方法】変更
【補正の内容】
【実用新案登録請求の範囲】
【請求項１】
本箱等の棚板上に収納した書籍類の転倒を防止するため、前記棚板上に載置して使用する本立てであって、ほぼ垂直に設けられ、かつ前記書籍類の側面に当接して前記書籍類の転倒を防止する仕切り板と、前記仕切り板の後端部にほぼ直角に取り付けられ、かつ前記仕切り板に作用する前記書籍類からの荷重を支持する背面板と、前記仕切り板及び前記背面板の上端部にほぼ水平に取り付けられ、かつ前記仕切り板に作用する前記書籍類からの荷重を前記背面板とで分散して支持する上面板とから本立て本体を構成したことを特徴とする本立て。
【請求項２】
前記仕切り板と前記背面板及び前記上面板を組み立て自在としてなる請求項１に記載の本立て。
【請求項３】
前記本立て本体に、ほぼ垂直に設けられた補助仕切り板と、前記補助仕切り板の後端部にほぼ直角に取り付けられた補助背面板とからなる補助本立てを組み合わせてなる請求項１に記載の本立て。